(57)【要約】【課題】吸込風路が狭い場合であっても空気が通過することのできるフィルタの面積を確保して、フィルタの目詰まりを防止できる電気掃除機を提供する。【解決手段】掃除機本体１１に集塵容器４０と、この集塵容器４０に吸込負圧を作用させる電動送風機２１と、集塵容器４０と電動送風機２１とを連通させる吸込風路Ｈ（第１吸込風路２７、第２吸込風路３６）とが設けられ、吸込風路Ｈの内面２７ａがフィルタ装置（フィルタ）５０によって閉成された電気掃除機であって、フィルタ装置５０を吸込風路Ｈに対して傾斜させた。【選択図】　　　　図２
2004049783.tif 000002
【特許請求の範囲】
【請求項１】
掃除機本体に集塵容器と、該集塵容器に吸込負圧を作用させる電動送風機と、前記集塵容器と前記電動送風機とを連通させる吸込風路とが設けられ、該吸込風路がフィルタによって閉成された電気掃除機であって、
前記フィルタは、前記吸込風路に対して傾斜されていることを特徴とする電気掃除機。
【請求項２】
請求項１に記載の電気掃除機において、前記フィルタは、前記吸込風路に形成された屈曲部に配設され、且つ、該屈曲部の内側屈曲部と外側屈曲部とを通る内面に沿って設けられたことを特徴とする電気掃除機。
【請求項３】
請求項１又は２に記載の電気掃除機において、前記フィルタは、山部及び谷部を有する波形状に折り畳まれると共に、前記山部の稜線が前記吸込風路を流れる空気と同一方向に沿っていることを特徴とする電気掃除機。
【発明の詳細な説明】
【０００１】
【発明の属する技術分野】
この発明は、集塵容器と電動送風機とを連通する吸込風路の内面にフィルタが配設された電気掃除機に関するものである。
【０００２】
【従来の技術】
従来から図５に示すような電気掃除機１が知られている。
【０００３】
この電気掃除機１は掃除機本体２を備えている。そして、掃除機本体２の前部には集塵容器３が着脱自在に載置され、後部には電動送風機４ａを内蔵した電動室４が形成され、上面には上下方向に開閉自在な蓋体５が設けられている。そして、集塵容器３を掃除機本体２に載置した状態で蓋体５を閉めると、蓋体５の内側に沿って吸込風路６が形成される。この吸込風路６によって集塵容器３と電動室４とが連通されている。
【０００４】
吸込風路６は、前部が掃除機本体２の前後方向に沿って延び、中間部には電動室４に向かって屈曲する屈曲部６ａが形成されている。そして、後部が掃除機本体２の上下方向に沿って延びている。また、この屈曲部６ａの下側にはフィルタ７が配設されて吸込風路６の内面を閉成している。そして、このフィルタ７は掃除機本体２の上下方向に沿って延びる吸込風路６の後部の中心線に対して直交しており、略水平に保持されている。
【０００５】
【発明が解決しようとする課題】
しかしながら、上述の電気掃除機では、フィルタ７が吸込風路６の中心線に対して直交しているので、吸込風路を流れる空気が通過するフィルタ７の通気通過面積が吸込風路６の断面積と等しくなっていた。そのため、吸込風路６が狭い場合では空気が通過するフィルタ７の空気通過面積を十分に確保することができず、比較的早期に目詰まりが生じるおそれがあった。
【０００６】
したがって、この発明は上記問題に鑑みてなされたもので、吸込風路が狭い場合であっても空気が通過することのできるフィルタの面積を確保して、フィルタの目詰まりを防止できる電気掃除機を提供することを目的としている。
【０００７】
【課題を解決するための手段】
上記課題を解決するために、この発明の電気掃除機は、掃除機本体に集塵容器と、この集塵容器に吸込負圧を作用させる電動送風機と、集塵容器と電動送風機とを連通する吸込風路とが設けられ、この吸込風路の内面がフィルタによって閉成され、フィルタを吸込風路に対して傾斜させていることを特徴としている。
【０００８】
この発明によれば、フィルタが吸込風路に対して傾斜しているので、空気が通過するフィルタの空気通過面積が吸込風路の断面積よりも大きくなり、吸込風路が狭い場合であっても、大きな空気通過面積を確保できる。そのため、フィルタの早期目詰まりを防止することが可能となる。
【０００９】
【発明の実施の形態】
以下、この発明にかかる電気掃除機の実施の形態を図面に基づいて説明する。
【００１０】
図１において、１０は電気掃除機であり、掃除機本体１１を備えている。掃除機本体１１には、集塵ホース１２の一端が着脱自在に接続され、その他端には手元操作管１３が設けられている。手元操作管１３には着脱自在に接続された延長管１４を介して吸込口体１５が着脱自在に接続されている。
【００１１】
掃除機本体１１は、本体ケース２０と、後部が本体ケース２０の上部にヒンジ結合されて上下方向に開閉可能になっている蓋体３０と、本体ケース２０に着脱自在に載置されている集塵容器４０とを備えている。
【００１２】
本体ケース２０は、図２に示すように、電動送風機２１が内蔵された電動部２２を有している。この電動部２２の左右には一対の車輪２３（他方図示せず）が設けられている。そして、電動部２２の前面下部には前方に突出した載置部２４が設けられ、電動部２２の下側には複数の充電池２５ａを有するバッテリパック２５が配設されている。また、電動部２２の側面には図示しない排気孔が形成され、この排気孔は電動送風機２１の排気口２１ａと連通している。
【００１３】
さらに、本体ケース２０の上面前部には吸気孔２６が形成され、吸気孔２６から下方に延びた第１吸込風路２７が形成されている。ここで、吸気孔２６は、第１吸込風路２７の中心線に対して、掃除機本体１１の後方に位置する部分が高く、前方に位置する部分が低くなるように傾斜している。
【００１４】
また、第１吸込風路２７の内側で吸気孔２６から所定距離離れた位置には、多数のスリット（図示せず）を有する仕切板２８が設けられている。この仕切板２８は、第１吸込風路２７の中心線に対して傾斜した吸気孔２６と平行に設けられており、第１吸込風路２７の内面２７ａを閉成している。
【００１５】
第１吸込風路２７の下端部は、本体ケース２０の後方に向かって屈曲されると共に、電動送風機２１の吸気口２１ｂに連通している。
【００１６】
電動送風機２１は、吸気口２１ｂが下方を向くと共に電動部２２の底面２２ａに対して傾斜するように配設されている。また、載置部２４は集塵容器４０が着脱自在に載置されるようなほぼ水平の皿状に形成されている。
【００１７】
また、仕切板２８上には、図３に示すフィルタ装置（フィルタ）５０が着脱自在に装着されており、吸込風路を閉成している。
【００１８】
このフィルタ装置５０は、上下端が開口した筒状に形成された枠体５１と、枠体５１に一体に取り付けられて枠体５１を閉成したフィルタ材５２とを備えている。
【００１９】
枠体５１は、第１吸込風路２７の内面２７ａより僅かに小さく形成され、上面５１ａ及び下面５１ｂが吸気孔２６及び仕切板２８と平行になるように、第１吸込風路２７の中心線に対して傾斜している。つまり、この枠体５１は装着した際に、掃除機本体１１の後方に位置する面が高く、前方に位置する面が低くなるように形成されている。また、枠体５１は、上面５１ａが吸気孔２６と面一になるように、吸気孔２６から仕切板２８までの距離と同じ高さに形成されている。なお、この枠体５１はモールド樹脂等により形成されている。
【００２０】
フィルタ材５２は、多数の山部及び谷部を有する波形状（プリーツ状）に折り畳まれ、不織布等により形成されている。
【００２１】
そして、このフィルタ装置５０は、あらかじめ波形状（プリーツ状）に折り畳まれたフィルタ材５２を金型にセットした状態で枠体５１を射出成形して形成されている。これにより、枠体５１の内周壁とフィルタ材５２の周縁部とが一体に固着されることとなる。
【００２２】
また、フィルタ装置５０は、フィルタ材５２の多数の山部の稜線５３が、掃除機本体１１の前後方向に沿って延在される後述する第２吸込風路３６と同一方向になるように装着されている（図４参照）。
【００２３】
集塵容器４０は、図２に示すように、上方が開口した筒状に形成されると共に塵埃を収容する容器本体４１と、この容器本体４１の上部に着脱自在に設けられて開口を覆うフィルタ部材４２と、容器本体４１内に空気を吸気する吸気部４３と、容器本体４１の側面（図２において左側）に設けられた把持部４４等とを有している。
【００２４】
なお、吸気部４３には、蓋体３０の後述する連通口３３の後部３３ａに接続される接続開口４３ａと、接続開口４３ａから下方に向かって延在された案内板４３ｂとが設けられている。
【００２５】
蓋体３０は、平面視がほぼ楕円形に形成されたドーム状の天板３１を有し、この天板３１の前部には集塵ホース１２を着脱自在に接続する連通口３３を有する接続パイプ３２が設けられている。
【００２６】
この蓋体３０の内側には、集塵容器４０のフィルタ部材４２に対向する接続風路３４と、本体ケース２０の吸気孔２６に対向する後部風路３５と、接続風路３４と後部風路３５とを連通する第２吸込風路３６とが形成されている。
【００２７】
この第２吸込風路３６は、掃除機本体１０の前後方向に沿って延在され、中間部に支持体３６ａが設けられている。この支持体３６ａによって天板３１が支持され、第２吸込風路３６が確保されている。
【００２８】
そして、後部風路３５は、第２吸込風路３６の中心線に対して、上方に位置する部分が、下方に位置する部分よりも掃除機本体１１の後方に向かって突出するように傾斜している。なお、この傾斜角度は吸気孔２６と等しくされ、吸気孔２６と後部風路３５とが密着するようになっている。したがって、前述のように吸気孔２６と平行にされたフィルタ装置５０の枠体５１の上面５１ａ及び下面５１ｂは、第２吸込風路３６の中心線に対しても傾斜することとなる。
【００２９】
このように、第１吸込風路２７と第２吸込風路３６とは、吸気孔２６と後部風路３５とが対向して密着することにより連通し、集塵容器４０と電動送風機２１とを連通させる吸込風路Ｈを形成している。そして、吸込風路Ｈの吸気孔２６と後部風路３５とが対向する位置が、吸込風路Ｈを掃除機本体１１の前後方向から掃除機本体１１の上下方向に向かって屈曲させる屈曲部Ｋにされている。
【００３０】
そして、フィルタ装置５０は、上面５１ａが吸気孔２６と面一になっており、屈曲部Ｋに配設されている。
【００３１】
一方、フィルタ装置５０の上面５１ａ及び下面５１ｂは　第１吸込風路２７の中心線及び第２吸込風路３６に対してそれぞれ傾斜し、上面５１ａは後部風路３５と密着する吸気孔２６と面一にされている。そして、吸気孔２６は掃除機本体１１の後方に位置する部分が高く、前方に位置する部分が低くされている。また、後部風路３５は、上方に位置する部分が下方に位置する部分よりも掃除機本体１１の後方に向かって突出されている。
【００３２】
つまり、このフィルタ装置５０は、側面視した際に、屈曲部Ｋの屈曲方向の内側に位置する内側屈曲部Ｋ１と、屈曲部Ｋの屈曲方向の外側に位置する外側屈曲部Ｋ２とを通る内面に沿って設けられている。
【００３３】
次にこの電気掃除機１０の作用について説明する。
【００３４】
この電気掃除機１０を使用するには、手元操作管１３に設けられた図示しないスイッチを入れて電動送風機２１を駆動させる。なお、このとき、バッテリパック２５に蓄電された電力が使用される。
【００３５】
電動送風機２１が駆動されると、吸込口体１５から塵埃を含んだ空気が延長管１４、手元操作管１３、集塵ホース１２、接続パイプ３２及び連通口３３を介して吸気部４３に入る。そして、吸気部４３の案内板４３ｂにより螺旋状に案内されながら渦流となって容器本体４１の内側を図２に示す矢印のように伝い、容器本体４１の底部に至る。そして、渦流中の塵埃は遠心力により空気と分離されてこの底部に蓄積される。特に塵埃が綿ゴミ等の比較的重量の軽いものであれば、順次流れてくる空気によって圧縮される。
【００３６】
一方、容器本体４１の底部で塵埃と分離された空気は、容器本体４１の上部の開口からフィルタ部材４２を経て接続風路３４に流れ込む。なお、フィルタ部材４２を空気が通過する際に、容器本体４１内で分離し切れなかった細塵がこのフィルタ部材４２によって捕捉される。
【００３７】
そして、接続風路３４内の空気は第２吸込風路３６を通って後部風路３５へ導かれ、さらに吸気孔２６からフィルタ装置５０を通過して第１吸込風路２７内に流れ込む。なお、この様子を図４に模式的に示す。図中矢印で示されるものが空気の流れである。また、フィルタ装置５０を空気が通過する際に、フィルタ部材４２に捕捉し切れなかった微細塵が捕捉される。
【００３８】
このとき、吸込風路Ｈの直線部分である第１吸込風路２７及び第２吸込風路３６のそれぞれの中心線に対して、空気が通過するフィルタ装置５０の枠体５１の上下面５１ａ、５１ｂが傾斜している。そのため、吸込風路Ｈの断面積よりもフィルタ装置５０の空気が通過する空気通過面積の方が大きくなり、吸込風路Ｈが狭い場合であっても、大きな空気通過面積を確保できる。そして、フィルタ装置５０の早期目詰まりを防止することが可能となる。
【００３９】
なお、フィルタ材５２が多数の山部及び谷部を有する波形状（プリーツ状）に折り畳まれているので、フィルタ材５２の表面積が拡大し、微細塵を含んだ気流を多く濾過することができる。
【００４０】
また、フィルタ装置５０が吸込風路Ｈの屈曲部Ｋに設けられているので、この屈曲部Ｋを空気が通過する際に生じる空気の乱れ（乱流）を抑制し、フィルタ装置５０に沿って円滑に空気を流すことができる。
【００４１】
さらに、このフィルタ装置５０のフィルタ材５２の山部の稜線５３が、掃除機本体１１の前後方向に沿っている。そのため、この稜線５３は、第１吸込風路３６内を掃除機本体１１の前方から後方に流れる空気と同一の方向に沿うこととなる。したがって、フィルタ材５２を通過する空気は稜線５３に沿って円滑に流れて圧力損失受けにくくなり、電動送風機２１に作用する負荷を抑えることができる。
【００４２】
【発明の効果】
この発明によれば、吸込風路が狭い場合であっても空気が通過することのできるフィルタの面積を確保して、フィルタの目詰まりを防止できる電気掃除機を提供することができる。
【図面の簡単な説明】
【図１】この発明にかかる電気掃除機の全体斜視図である。
【図２】この発明にかかる掃除機本体の部分断面側面図である。
【図３】この発明にかかるフィルタ装置の一部破断斜視図である。
【図４】吸込風路とフィルタ装置とを模式的に示す説明図である。
【図５】従来の電気掃除機の部分断面側面図である。
【符号の説明】
１０　　　　　　電気掃除機
１１　　　　　　掃除機本体
２１　　　　　　電動送風機
２７　　　　　　第１吸込風路
３６　　　　　　第２吸込風路
４０　　　　　　集塵容器
５０　　　　　　フィルタ装置（フィルタ）
Ｈ　　　　　　　吸込風路
【図１】
2004049783.tif 000003
【図２】
2004049783.tif 000004
【図３】
2004049783.tif 000005
【図４】
2004049783.tif 000006
【図５】
2004049783.tif 000007